(57)【要約】      （修正有）【課題】構造物の傾斜修復における作業性が良好な構造物傾斜修復器具を提供する。【解決手段】構造物の基礎に形成された孔内に埋設される鋼管杭４０が挿通する筒部６と筒部６が通るケース５とケース５に対して左右方向に出し入れ可能に収納される一対の支持アーム７、７とを有する支持部材２と、鋼管杭４０上に載せられ、ジャッキ４２の載る台座３と、台座３の左右方向両側に貫通する一対のねじ軸１０、１０を有し、ジャッキ４２により支持部材２を持ち上げる持ち上げ部材４とを備える。一対の支持アーム７、７が、基礎の孔周縁の下方への突出状態と、基礎の孔内への収納状態との間で出し入れされるものであり、一対のねじ軸１０、１０が台座３の上方にねじ結合する中ナット１４を有する。【選択図】図１
2017155485.tif 000002
【特許請求の範囲】
【請求項１】
構造物の基礎に形成された孔内に設けられる鋼管杭が挿通され、前記基礎の孔周縁を支持する支持部材と、前記鋼管杭上に載せられ、ジャッキが載る台座と、前記台座の上方に配置される基板とその基板の左右方向両側からそれぞれ下方に延びるねじ軸とを有する持ち上げ部材とを備え、前記ねじ軸が前記台座の左右方向両側にそれぞれ挿通された状態で、前記ねじ軸の下部に前記支持部材が取り付けられた傾斜修復器具であって、
前記支持部材は、前記鋼管杭が挿通される筒部と、その筒部が通る枠状のケースと、前記ケースに対して左右方向に出し入れ可能に収納される一対の支持アームとを有し、
前記ケースは、底板部と、天板部と、その底板部と天板部の間に設けられ、前記支持アームの出し入れ方向に沿う側板部とを有し、前記一対の支持アームが前記基礎の孔周縁の下方への突出状態と前記基礎の孔内への収納状態との間で出し入れされるものであり、前記ねじ軸が前記台座の上方にねじ結合する中ナットを有する傾斜修復器具。
【請求項２】
前記支持部材は、前記ケース上に載り、前記筒部が通る枠状の上ケースと、前記上ケースに対して左右方向に交差する方向に出し入れ可能に収納される一対の上支持アームとを有し、
前記上ケースが、底板部と、天板部と、その底板部と天板部の間に設けられ、前記上支持アームの出し入れ方向に沿う側板部とを有し、
前記上支持アームが前記基礎の孔周縁の下方への突出状態と前記基礎の孔内への収納状態との間で出し入れされるものである請求項１に記載の傾斜修復器具。
【請求項３】
前記ねじ軸が上ねじ軸と下ねじ軸と、ねじ結合により前記上ねじ軸と下ねじ軸を連結する長ナットとからなり、その長ナットが前記中ナットよりも上方に位置した請求項１または２に記載の傾斜修復器具。
【発明の詳細な説明】
【技術分野】
【０００１】
この発明は、構造物の基礎を持ち上げ、その傾斜を修復する際に使用される傾斜修復器具に関する。
【背景技術】
【０００２】
従来から、地盤沈下による構造物の傾斜を修復するために、傾斜修復器具が用いられている。この構造物の傾斜修復器具としては、例えば、鋼管杭に上下動可能に取り付けられる持ち上げ部材と、ジャッキ据置台と、引上げフレームとを備えたものが知られている（特許文献１参照）。
【０００３】
特許文献１に記載の傾斜修復器具の持ち上げ部材は、鋼管杭の外周に上下動可能に嵌められる筒体に、側方に突出する持上げ梁を形成したものである。ジャッキ据置台は、鋼管杭に挿入可能な挿入突起を備えた筒体に、側方に突出する断面Ｈ型の台座を形成したものである。また、引上げフレームは、門形のフレーム本体と、フレーム本体の両下端に形成した支持孔に挿通する持上げ杆とを備えるものである。
【０００４】
この傾斜修復器具を用いた構造物の傾斜を修復する工法は、掘削穴内の基礎の側近に打設した鋼管杭の外周に持ち上げ部材の筒体を嵌合し、鋼管杭の上端にジャッキ据置台の挿入突起を挿入して持ち上げ部材とジャッキ据置台を取り付ける。このとき、持上げ梁を基礎下面に突き合わせ、ジャッキ据置台の台座上に油圧ジャッキを載置する。
【０００５】
次に、ジャッキ据置台の台座と、持ち上げ部材の持上げ梁との上方から引上げフレームを被せ、持上げ梁の下面で引上げフレームの支持孔に持上げ杆を挿入する。その後、油圧ジャッキを操作して引上げフレームを介して持ち上げ部材を引上げることで、基礎を引上げる。
【０００６】
このようにして基礎を所定位置まで引上げた状態で、持ち上げ部材の筒体を鋼管杭に溶接により固定して、ジャッキ据置台と引上げフレームを取り外して、構造物の傾斜を修復することができる。
【先行技術文献】
【特許文献】
【０００７】
【特許文献１】特公昭５９−４３６１２号公報
【発明の概要】
【発明が解決しようとする課題】
【０００８】
上記特許文献１に記載の傾斜修復器具では、構造物の基礎を所定位置まで持ち上げた状態で、持ち上げ部材の筒体を鋼管杭に溶接固定する必要があり、溶接作業に伴う器具の準備などを別途行う必要があり、構造物の傾斜修復の作業性が悪いものであった。
【０００９】
また、構造物の内部においては、溶接作業を実施するために、基礎に孔を空けて、その孔から溶接作業を実施するための深い穴を掘削して大きな作業空間を確保する必要があった。このため、掘削作業が大がかりとなって、作業性に影響を及ぼすという問題があった。
【００１０】
そこで、この発明の課題は、構造物内部での基礎の傾斜修復における作業性が良好な構造物傾斜修復器具を提供することである。
【課題を解決するための手段】
【００１１】
前記の課題を解決するために、この発明に係る傾斜修復器具は、構造物の基礎に形成された孔内に設けられる鋼管杭が挿通され、前記基礎の孔周縁を支持する支持部材と、前記鋼管杭上に載せられ、ジャッキが載る台座と、前記台座の上方に配置される基板とその基板の左右方向両側からそれぞれ下方に延びるねじ軸とを有する持ち上げ部材とを備え、前記ねじ軸が前記台座の左右方向両側にそれぞれ挿通された状態で、前記ねじ軸の下部に前記支持部材が取り付けられた傾斜修復器具であって、
前記支持部材は、前記鋼管杭が挿通される筒部と、その筒部が通る枠状のケースと、前記ケースに対して左右方向に出し入れ可能に収納される一対の支持アームとを有し、前記ケースは、底板部と、天板部と、その底板部と天板部の間に設けられ、前記支持アームの出し入れ方向に沿う側板部とを有し、前記一対の支持アームが前記基礎の孔周縁の下方への突出状態と前記基礎の孔内への収納状態との間で出し入れされるものであり、前記ねじ軸が前記台座の上方にねじ結合する中ナットを有する構成を採用することができる。
【００１２】
この構成によると、傾斜した構造物の基礎の孔内に支持部材を配置し、鋼管杭上に台座を載せて、ケースから一対の支持アームを基礎の孔周縁の下部への突出状態とする。この突出状態で、台座上に載せたジャッキを操作することにより持ち上げ部材の基板が上昇する。
【００１３】
上昇する基板の左右方向両側からそれぞれ下方に延びるねじ軸を介して、支持部材のケースが引き上げられ、ケースに対して突出状態の支持アームによって基礎が引き上げられる。基礎が引き上げられた状態で、持ち上げ部材のねじ軸の中ナットを回転させ、台座に突き合わせることで支持部材の位置が固定される。
【００１４】
また、構造物の基礎の孔は、支持部材が入る大きさであればよく、従来の傾斜修復器具のように、溶接作業を実施するために、基礎の孔から予め深い穴を掘削して大きな作業空間を確保する必要がない。
【発明の効果】
【００１５】
この発明の傾斜修復器具は、支持部材の支持アームにより基礎を引き上げた状態で、中ナットを回転させ、台座に突き合わせることのみで、支持部材の位置が固定されるので、構造物の傾斜修復における作業性が良好となる。
【図面の簡単な説明】
【００１６】
【図１】この発明の第一実施形態の傾斜修復器具を示す斜視図
【図２】同上の傾斜修復器具を示す分解斜視図
【図３】同上の傾斜修復器具を示す正面図
【図４】（ａ）構造物の基礎の孔の下方で鋼管杭を埋設する状態を示す概略図、（ｂ）鋼管杭に支持部材を設置した状態を示す概略図
【図５】（ａ）同上の傾斜修復器具の基礎の引き上げ前の状態を示す概略図、（ａ）同上の傾斜修復器具の基礎の引き上げ直後の状態を示す概略図
【図６】構造物の基礎の孔と支持部材との位置関係を示す平面図
【図７】同上の傾斜修復器具の使用後の状態を示す図
【図８】この発明の第二実施形態の傾斜修復器具の支持部材を示す分解斜視図
【図９】同上の傾斜修復器具の支持部材を示す斜視図
【図１０】同上の傾斜修復器具を示す正面図
【図１１】（ａ）同上の傾斜修復器具の基礎の引き上げ前の状態を示す概略図、（ａ）同上の傾斜修復器具の基礎の引き上げ直後の状態を示す概略図
【図１２】構造物の基礎の孔と支持部材との位置関係を示す平面図
【図１３】同上の傾斜修復器具の使用後の状態を示す図
【図１４】この発明の第三実施形態の傾斜修復器具の支持部材を示す分解斜視図
【発明を実施するための形態】
【００１７】
以下、この発明の第一実施形態に係る傾斜修復器具を図１〜図６に基づいて説明する。
この傾斜修復器具１は、図１〜図３に示すように、構造物の基礎３１に形成された孔３２周縁の下方を支持する支持部材２と、鋼管杭４０上に載せられ、ジャッキ４２の載る台座３と、台座３の左右方向両側に貫通する一対のねじ軸１０、１０を有し、ジャッキ４２より支持部材２を持ち上げる持ち上げ部材４とを備える。
【００１８】
なお、以下、左右方向及び前後方向とは、一対のねじ軸１０、１０が左右両側に配置された持ち上げ部材４に正対した状態での左右方向及び前後方向を意味する。
【００１９】
支持部材２は、鋼管杭４０が挿通される筒部６と、筒部６が通る枠状のケース５と、ケース５に対して左右方向に出し入れ可能に収納される一対の支持アーム７、７とを備える。
【００２０】
ケース５は、矩形の底板部５ａ及び天板部５ｂと、それらの幅方向（前後方向）両側縁間の左右方向に沿って設けられた一対の側板部５ｃとからなり、長さ方向（左右方向）の両側が開口する枠状をなす。底板部５ａ及び天板部５ｂは、その中央に円筒状の筒部６が上下方向に通る状態となっている。
【００２１】
底板部５ａ及び天板部５ｂは、筒部６を挟んで左右方向両側に貫通孔５ｄ、５ｄが形成される。底板部５ａは、図２に示すように、天板部５ｂ及び側板部５ｃよりも、左右方向外向きに突き出して形成されている。天板部５ｂは、その上面と筒部６の上端面とが同一平面上に位置している。
【００２２】
筒部６は、鋼管杭４０が挿通可能な内径を有し、その下部がケース５の底板部５ａよりも下方に突き出した状態となっている。
【００２３】
図２に示すように、一対の支持アーム７、７は、断面形状が矩形の第一アームバー７ａ及び第二アームバー７ｂと、これらの一端に固定されたガイドバー７ｃとからなる。第一アームバー７ａは、ガイドバー７ｃの一端部に固定され、第二アームバー７ｂは、ガイドバー７ｃの他端寄りの位置に固定される。
【００２４】
第一アームバー７ａ及び第二アームバー７ｂは、相互に平行となる状態で、ガイドバー７ｃに対して直角にかつ同じ側に固定されている。一対の支持アーム７、７は、ガイドバー７ｃが左右方向外側に配置された状態で、第一アームバー７ａ及び第二アームバー７ｂがケース５に収納される。
【００２５】
また、ケース５に収納される一対の支持アーム７、７のうち、一方の支持アーム７は、その第一アームバー７ａがケース５の幅方向（前後方向）一側方に位置する。他方の支持アーム７は、その第一アームバー７ａがケース５の幅方向（前後方向）他側方に位置する。
【００２６】
このような位置関係となる一対の支持アーム７、７は、それぞれのガイドバー７ｃが天板部５ｂ及び側板部５ｃの左右方向両側端縁に接し、かつ底板部５ａの左右方向外向きに突き出す部分の上部に位置する状態（収納状態）となる（図１参照）。
【００２７】
また、一対の支持アーム７、７は、それぞれのガイドバー７ｃがケース５に対して、左右方向外向きに突き出した状態（突出状態）とすることができる。すなわち、一対の支持アーム７、７は、支持部材２のケース５に対して、収納状態と突出状態の間で出し入れ可能に収納される。
【００２８】
支持部材２の上方に配置される台座３は、矩形の板体からなり、下面中央に固定される嵌合リング８と、嵌合リング８を挟んで左右方向両側に設けられる貫通孔３ａ、３ａとを有する。嵌合リング８は、円環状をなし、その内径が鋼管杭４０の外径よりも大きく、内部に鋼管杭４０が嵌合する。
【００２９】
持ち上げ部材４は、台座３の上方に配置される基板９と、基板９の左右方向両側からそれぞれ下方に延びる一対のねじ軸１０、１０と、ねじ軸１０のそれぞれにねじ込み可能な中ナット１４、１４及び下ナット１１、１１とを有する。基板９は、台座３の左右方向の幅と同じ幅を有する矩形の板体であり、左右方向両側にねじ軸１０が通る貫通孔９ａ、９ａを有する。
【００３０】
ねじ軸１０は、図３に示すように、上ねじ軸１０ａ及び下ねじ軸１０ｂが長ナット１２により上下方向に連結されたものである。ねじ軸１０は、上端部が基板９の左右両側の貫通孔９ａ、９ａにそれぞれ挿通される状態で、上ナット１３、１３により基板９に取り付けられる。
【００３１】
また、ねじ軸１０は下ねじ軸１０ｂに中ナット１４がねじ結合し、中ナット１４よりも下方において、台座３の貫通孔３ａ、３ａにそれぞれ挿通される。すなわち、下ねじ軸１０ｂは、台座３の上方にねじ結合する中ナット１４を有している。
【００３２】
また、ねじ軸１０は、台座３の下方において、固定ナット１５がねじ結合する。ねじ軸１０の固定ナット１５よりも下部が、ケース５の底板部５ａ及び天板部５ｂの貫通孔５ｄに挿通される。さらに、ケース５よりも下方において、下ナット１１がねじ軸１０の下端部に嵌め合わされる。下ナット１１により、支持部材２のケース５がねじ軸１０に対して取り付けられる。
【００３３】
なお、ねじ軸１０は、上ねじ軸１０ａと下ねじ軸１０ｂとに分離可能であるが、１本のねじ軸から構成してもよい。ねじ軸１０が、上ねじ軸１０ａと下ねじ軸１０ｂとに分離可能であれば、後述のように、構造物の傾斜修復後、長ナット１２を回転操作し、基板９と共に上ねじ軸１０ａを下ねじ軸１０ｂから取り外すことが可能となる。
【００３４】
この発明の傾斜修復器具１は上記のような構成であり、以下にその使用方法を図４〜６に基づいて説明する。
【００３５】
前準備として、構造物の基礎３１のうち、傾斜修正箇所となる位置に既存の方法で孔３２を設ける。続いて、図４（ａ）に示すように、孔３２の中央に鋼管杭４０を基礎３１下方の地盤から反力が得られるまで、順次上下方向に連結しつつ、回転により埋設する。
【００３６】
孔３２は、図６に示すように、支持部材２のケース５に対して、左右方向、前後方向にわずかに大きい略矩形をなしている。略矩形の孔３２を設けることにより、支持部材２のケース５から突き出される一対の支持アーム７、７の突出量を小さく抑えられる。その結果、傾斜修正時に支持アーム７、７が受ける荷重をケース５の天板部５ｂで確実に受けることができる。
【００３７】
ここで、鋼管杭４０としては、その外周部にらせん状に取り付けられたプレート状のブレード４１を備えるものを採用することができる。この場合、鋼管杭４０は、公知の回転装置（図示省略）、例えばオーガ回転装置等を用いて回転させて地面に埋設する。
【００３８】
また、鋼管杭４０として、ブレード４１を備えていないものを用いてもよい。この場合、油圧、空気圧、機械式などのハンマ、重錘等で鋼管杭４０を打撃して、地面中に貫入させることができる。その一方で、ブレード４１を備える鋼管杭４０を用いると、ブレード４１が地面に食い込むため、打撃貫入させる鋼管杭を用いた場合よりも、鋼管杭４０が安定する。また、回転させることで、鋼管杭４０はブレード４１により地中を掘り進み、反力が得られる目標深度まで容易に到達させることが可能となる。
【００３９】
続いて、持ち上げ部材４の一対の下ねじ軸１０ｂの下端に支持部材２のケース５を挿通して、下ナット１１及び固定ナット１５により固定した状態とする。さらに、一対の下ねじ軸１０ｂに台座３を挿通して、中ナット１４、１４をそれぞれねじ結合する（図４（ａ）の一点鎖線参照）。
【００４０】
この下ねじ軸１０ｂの下端への支持部材２のケース５の固定は、鋼管杭４０が基礎３１下方の地盤に埋設される前に行われていることが好ましいが、鋼管杭４０の埋設後であってもよい。
【００４１】
次に、支持部材２を基礎３１の孔３２に入れ、ケース５の筒部６に鋼管杭４０を挿通し、台座３の嵌合リング８に鋼管杭４０を挿入し、台座３に鋼管杭４０を突き合わせる。
【００４２】
このとき、図４（ｂ）に示すように、台座３は、持ち上げ部材４の一対の下ねじ軸１０ｂ、１０ｂにねじ結合する中ナット１４に突き当たっている。また、支持部材２は、一対の下ねじ軸１０ｂ、１０ｂを介して、基礎３１に対して低く配置されている。
【００４３】
また、下ねじ軸１０ｂの上部に上ねじ軸１０ａを長ナット１２により連結してねじ軸１０とする。そして、ねじ軸１０の上ねじ軸１０ａに、持ち上げ部材４の基板９の貫通孔９ａ、９ａをそれぞれ挿通し、基板９上において、上ナット１３を上ねじ軸１０ａに締め付ける（図４（ｂ）の一点鎖線参照）。
【００４４】
その後、台座３上にジャッキ４２を配置し、ジャッキ４２のピストン４２ａ上に基板９を載せ、基板９上において、上ナット１３を上ねじ軸１０ａに締め付ける。このとき、ジャッキ４２のピストン４２ａは、図５（ａ）に示すように、最も下方に位置した状態となっている。なお、ジャッキ４２は、油圧式、機械式、空気圧式など、公知のものを適用することができる。
【００４５】
支持部材２のケース５の支持アーム７、７を左右方向の外向きに突出させ、それぞれのガイドバー７ｃ、７ｃを基礎３１の孔３２の周縁部の下方に位置する状態とする。
【００４６】
以上のようにして、基礎３１の孔３２の周縁部の下部に傾斜修復器具１の支持部材２が取り付けられる。続いて、図５（ｂ）に示すように、ジャッキ４２を操作して、そのピストン４２ａを上昇させる。ここで、台座３は、鋼管杭４０上に載っており、下方に移動できないことから、ピストン４２ａの上昇に伴い、持ち上げ部材４により、支持部材２のケース５が引き上がる。
【００４７】
すなわち、ピストン４２ａの上昇に伴い、基板９が上昇し、基板９に取り付けたねじ軸１０を介して、支持部材２のケース５が引き上げられる。ケース５の引き上げに伴って、支持アーム７、７を介して、基礎３１が引き上がる。
【００４８】
基礎３１を所定位置まで引き上げた状態では、ねじ軸１０に締め付けられる中ナット１４が、台座３に対して基板９の引き上げ高さ分だけ上方に移動している（図５（ｂ）の一点鎖線参照）。この状態の中ナット１４を回転させて（図５（ｂ）の実線参照）、台座３に突き合わせる。
【００４９】
中ナット１４の回転操作により、ねじ軸１０は中ナット１４が台座３に突き当たる位置で保持され、ねじ軸１０に引き上げられた支持部材２で基礎３１を引き上げた状態で保持される。すなわち、中ナット１４の回転操作によって、支持部材２で基礎３１を引き上げた状態で保持することができる。このため、従来の傾斜修復器具の場合と異なり、大掛かりな溶接作業が不要となり、傾斜修復の作業性が良好なものとなる。
【００５０】
また、溶接作業に伴って、基礎３１の孔３２の下方に予め深い穴を空ける必要がなく、鋼管杭４０を基礎３１の孔３２に回転により埋め込み可能な作業空間が確保されていればよい。
【００５１】
その後、ピストン４２ａを押し下げてジャッキ４２を台座３から取り外す。その後、図７に示すように、長ナット１２を回転操作し、上ねじ軸１０ａを下ねじ軸１０ｂから取り外す。最後に、構造物の基礎３１の孔３２の下方を土で埋め戻して、構造物の傾斜修復作業を終える。
【００５２】
また、構造物の傾斜修復作業が終了した後、時間経過に伴い、構造物の傾斜が再発した場合であっても、この実施形態の傾斜修復器具１を再利用することができる。
【００５３】
すなわち、構造物の基礎３１の孔３２の下方の土を掘り、台座３上にジャッキ４２を載せ、下ねじ軸１０ｂの上部に長ナット１２により上ねじ軸１０ａを連結する。そして、ジャッキ４２のピストン４２ａ上に基板９を載せて、基板９上において、上ナット１３を上ねじ軸１０ａに締め付ける。
【００５４】
このようにして、再度、基礎３１の下部に傾斜修復器具１を取り付けることができ、上述した手順で基礎３１を持ち上げることができるので、傾斜修復作業を再度容易に行うことができる。
【００５５】
この発明に係る第二実施形態を図８〜１３に基づいて説明する。
この第二実施形態は、図８に示すように、支持部材２がケース５上に載る上ケース２０と、上ケース２０に対して前後方向に出し入れ可能に収納される一対の上支持アーム２１とをさらに有する点で、前記第一実施形態と相違し、第一実施形態の構成と同じ構成と考えられるものには、同じ符号を付してその説明を省略する。
【００５６】
実施形態の支持部材２の上ケース２０は、矩形の底板部２０ａ及び天板部２０ｂと、それらの幅方向（左右方向）両側縁間の前後方向に沿って設けられた一対の側板部２０ｃとからなり、長さ方向（前後方向）の両側が開口する枠状をなす。底板部２０ａ及び天板部２０ｂは、その中央に筒部６が通る状態となっている。
【００５７】
上ケース２０の底板部２０ａは、図８に示すように、天板部２０ｂ及び側板部２０ｃよりも、前後方向外向きに突き出して形成されている。天板部２０ｂは、その上面と筒部６の上端面とが同一平面上に位置している。
【００５８】
図９に示すように、上ケース２０の底板部２０ａの前後方向の長さは、ケース５の天板部５ｂの前後方向の幅と同じ長さに形成されている。
【００５９】
一対の上支持アーム２１、２１は、断面形状が矩形の第一アームバー２１ａ及び第二アームバー２１ｂと、これらの一端に固定されたガイドバー２１ｃとからなる。第一アームバー２１ａは、ガイドバー２１ｃの一端部に固定され、第二アームバー２１ｂは、ガイドバー２１ｃの他端寄りの位置に固定される。
【００６０】
第一アームバー２１ａ及び第二アームバー２１ｂは、相互に平行となる状態でガイドバー２１ｃに対して直角にかつ同じ側に固定されている。一対の上支持アーム２１、２１は、ガイドバー２１ｃが前後方向外側に配置された状態で、第一アームバー２１ａ及び第二アームバー２１ｂが上ケース２０に収納される。
【００６１】
また、上ケース２０に収納される一対の上支持アーム２１、２１のうち、一方の上支持アーム２１は、その第一アームバー２１ａが上ケース２０の幅方向（左右方向）一側方に位置する。他方の上支持アーム２１は、その第一アームバー２１ａが上ケース２０の幅方向（左右方向）他側方に位置する。
【００６２】
このような位置関係となる一対の上支持アーム２１、２１は、それぞれのガイドバー２１ｃが天板部２０ｂ及び側板部２０ｃの前後方向両側端縁に接し、かつ底板部２０ａの前後方向外向きに突き出す部分の上部に位置する状態（収納状態）となる。
【００６３】
また、一対の上支持アーム２１、２１は、それぞれのガイドバー２１ｃが上ケース２０に対して、前後方向外向きに突き出した状態（突出状態）とすることができる。すなわち、一対の上支持アーム２１、２１は、支持部材２の上ケース２０に対して、収納状態と突出状態の間で前後方向に出し入れ可能に収納される。
【００６４】
この実施形態では、図１０に示すように、ケース５の一対の支持アーム７、７は、それぞれのガイドバー７ｃ、７ｃの上面が、天板部５ｂよりも高い位置となる状態で突出している。ガイドバー７ｃ、７ｃの上面は、上支持アーム２１、２１のそれぞれのガイドバー２１ｃ、２１ｃの上面に対して同一平面となるように形成されている。
【００６５】
なお、上ケース２０は、一対の上支持アーム２１、２１が左右方向に対して交差する方向に出し入れ可能に収納されていればよい。第二実施形態のように、左右方向に対して直交する方向、すなわち、前後方向に出し入れ可能に収納されていると、図１２に示すように、一対の支持アーム７、７及び一対の上支持アーム２１、２１により、基礎３１の孔３２の周縁部を前後方向及び左右方向にバランス良く持ち上げることが可能となる。
【００６６】
この実施形態のケース５は、底板部５ａ及び天板部５ｂの中央を通る外筒部２２を有する。外筒部２２は、円筒状をなし、その内部に上ケース２０の筒部６がすき間なく嵌り合う内径を有する。
【００６７】
外筒部２２は、その上端部と天板部５ｂの上面とが同一平面上に位置している。ケース５の外筒部２２内に上方から上ケース２０の筒部６が嵌め合わされ、ケース５上に上ケース２０が載る状態となる。
【００６８】
ケース５上に上ケース２０が載る状態において、上ケース２０の底板部２０ａの長さ方向（前後方向）の辺縁が、ケース５の天板部５ｂの幅方向（前後方向）の辺縁と一致している。また、ケース５の左右方向両側の貫通孔５ｄの間に上ケース２０が配置されている。
【００６９】
このように構成される第二実施形態では、上述した第一実施形態の場合と同様に、構造物の基礎３１に設けた孔３２の中央に鋼管杭４０を埋設する。そして、支持部材２のケース５の外筒部２２内に上ケース２０の筒部６を嵌め合わせ、ケース５上に上ケース２０が載る状態とする。
【００７０】
続いて、ケース５上に上ケース２０が載る支持部材２を基礎３１の孔３２に入れ、筒部６に鋼管杭４０を挿通する。その後、台座３の嵌合リング８内に鋼管杭４０を差し込んで、台座３に鋼管杭４０を突き合わせる。
【００７１】
その後、図１１（ａ）に示すように、台座３上にジャッキ４２を配置し、ジャッキ４２のピストン４２ａ上に基板９を載せる。基板９上において、上ナット１３を上ねじ軸１０ａに締め付け、支持部材２を一対の下ねじ軸１０ｂ、１０ｂを介して、基礎３１に対して低く配置する。
【００７２】
このとき、支持部材２は、ケース５の一対の支持アーム７、７が左右方向に、上ケース２０の一対の上支持アーム２１、２１が前後方向に出し入れ可能な状態となっている。
【００７３】
この状態のケース５の一対の支持アーム７、７を左右方向の外向きに突出させ、上ケース２０の一対の上支持アーム２１、２１を前後方向に突出させる。これにより、支持アーム７、７のガイドバー７ｃ及び上支持アームのガイドバー２１ｃを基礎３１の孔３２の周縁部の下方に位置する状態とする。
【００７４】
以上のようにして、基礎３１の孔３２の周縁部の下部に傾斜修復器具１の支持部材２が取り付けられる。その後、上述した第一実施形態の場合と同様、ジャッキ４２の操作により、持ち上げ部材４を介して支持部材２のケース５及び上ケース２０が引き上げられる。その引き上げに伴って、支持アーム７、７及び上支持アーム２１、２１を介して、基礎３１が引き上がる。
【００７５】
基礎３１が引き上がる状態で、中ナット１４の回転操作によって、支持部材２で基礎３１を引き上げた状態で保持することができる。このため、従来の傾斜修復器具の場合と異なり、大掛かりな溶接作業が不要となり、傾斜修復の作業性が良好なものとなる。
【００７６】
また、図１２に示すように、基礎３１の孔３２周縁部は、支持部材２のケース５及び上ケース２０から突き出される一対の支持アーム７、７及び上支持アーム２１、２１により、前後方向及び左右方向に支持される。このため、傾斜修正時に支持アーム７、７及び上支持アーム２１、２１への荷重が分散されるとともに、基礎３１の孔３２周縁を確実に支持することが可能となる。
【００７７】
基礎３１が引き上がった後は、ピストン４２ａを押し下げてジャッキ４２を台座３から取り外す。その後、図１３に示すように、長ナット１２を回転操作し、上ねじ軸１０ａを下ねじ軸１０ｂから取り外す。最後に、構造物の基礎３１の孔３２の下方を土で埋め戻して、構造物の傾斜修復作業を終える。
【００７８】
また、構造物の傾斜修復作業が終了した後、時間経過に伴い、構造物の傾斜が再発した場合であっても、第一実施形態と同様に、この第二実施形態の傾斜修復器具１を再利用することができる。
【００７９】
この発明に係る第三実施形態を図１４に基づいて説明する。
この第三実施形態は、図１４に示すように、支持部材２のケース５が、外筒部２２の代わりに挿通孔２３を有する点で、前記第二実施形態と相違し、第二実施形態の構成と同じ構成と考えられるものには、同じ符号を付してその説明を省略する。
【００８０】
この実施形態のケース５は、天板部５ｂ及び底板部５ａの中央に上側挿通孔２３ａ及び下側挿通孔２３ｂが形成される。天板部５ｂの上側挿通孔２３ａと、底板部５ａの下側挿通孔２３ｂは、同径の円形をなし、それぞれ同心円状に配置される。
【００８１】
上側挿通孔２３ａ及び下側挿通孔２３ｂは、その内部に上ケース２０の筒部６がすき間なく嵌り合う内径を有し、挿通孔２３を構成する。ケース５の挿通孔２３内に上方から上ケース２０の筒部６が嵌め合わされ、ケース５上に上ケース２０が載る状態となる。
【００８２】
この状態において、第二実施形態の場合と同様に、上ケース２０の底板部２０ａの長さ方向（前後方向）の辺縁が、ケース５の天板部５ｂの幅方向（前後方向）の辺縁と一致する。また、ケース５の左右方向両側の貫通孔５ｄの間に上ケース２０が配置される。
【符号の説明】
【００８３】
１  傾斜修復器具
２  支持部材
３  台座
３ａ  貫通孔
４  持ち上げ部材
５  ケース
５ａ  底板部
５ｂ  天板部
５ｃ  側板部
５ｄ  貫通孔
６  筒部
７  支持アーム
７ａ  第一アームバー
７ｂ  第二アームバー
７ｃ  ガイドバー
８  嵌合リング
９  基板
９ａ  貫通孔
１０  ねじ軸
１０ａ  上ねじ軸
１０ｂ  下ねじ軸
１１  下ナット
１２  長ナット
１３  上ナット
１４  中ナット
１５  固定ナット
２０  上ケース
２０ａ  底板部
２０ｂ  天板部
２０ｃ  側板部
２１  上支持アーム
２１ａ  第一アームバー
２１ｂ  第二アームバー
２１ｃ  ガイドバー
２２  外筒部
２３  挿通孔
２３ａ  上側挿通孔
２３ｂ  下側挿通孔
３１  基礎
３２  孔
４０  鋼管杭
４１  ブレード
４２  ジャッキ
４２ａ  ピストン
【図１】
2017155485.tif 000003
【図２】
2017155485.tif 000004
【図３】
2017155485.tif 000005
【図４】
2017155485.tif 000006
【図５】
2017155485.tif 000007
【図６】
2017155485.tif 000008
【図７】
2017155485.tif 000009
【図８】
2017155485.tif 000010
【図９】
2017155485.tif 000011
【図１０】
2017155485.tif 000012
【図１１】
2017155485.tif 000013
【図１２】
2017155485.tif 000014
【図１３】
2017155485.tif 000015
【図１４】
2017155485.tif 000016